【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）にチャネル状態情報基準信号（ＣＳＩ-ＲＳ）構成情報を送信することであって、前記ＣＳＩ−ＲＳ構成情報は、前記ＵＥが仮想セルＩＤに関連したチャネル上で送信される干渉するＣＳＩ-ＲＳによって引き起こされる干渉を緩和するように意図されている、送信すること
を備える、方法。
【請求項２】
前記ＣＳＩ-ＲＳ構成情報は、１つの近隣セルの異なるユーザのすべてのＣＳＩ-ＲＳ構成のセット、または複数の近隣セルのすべてのＣＳＩ-ＲＳ構成のセットを備える、請求項１に記載の方法。
【請求項３】
前記ＣＳＩ-ＲＳ構成情報は、近隣セルのＣＳＩ-ＲＳ構成を備える、請求項１に記載の方法。
【請求項４】
近隣セルのＣＳＩ-ＲＳに関わるリソース要素の制限されたセットを、前記近隣セルから、受信することをさらに備える、請求項１に記載の方法。
【請求項５】
仮想セルＩＤの制限されたセットまたは物理セルＩＤ（ＰＣＩ）にＣＳＩ-ＲＳ仮想セルＩＤを制限することをさらに備える、請求項１に記載の方法。
【請求項６】
前記ＣＳＩ-ＲＳ構成情報は、近隣セルのＣＳＩ-ＲＳサブフレームを備える、請求項１に記載の方法。
【請求項７】
近隣セルのゼロ・パワーおよびノン・ゼロ・パワーＣＳＩ-ＲＳの同じロケーションにゼロ・パワーおよびノン・ゼロ・パワーＣＳＩ-ＲＳを制限することをさらに備える、請求項１に記載の方法。
【請求項８】
近隣セルのページング情報を送信することをさらに備える、請求項１に記載の方法。
【請求項９】
前記送信は前記ＵＥの受信機タイプに少なくとも部分的に基づく、請求項１に記載の方法。
【請求項１０】
ワイヤレス通信の方法であって、
仮想セルＩＤに関連したチャネル上で送信される干渉するチャネル状態情報基準信号（ＣＳＩ-ＲＳ）によって引き起こされる干渉を緩和するために、ＣＳＩ-ＲＳ構成情報を、ユーザ機器（ＵＥ）において、受信することと、
前記ＣＳＩ−ＲＳ構成情報に基づいて干渉除去を実施することと
を備える、方法。
【請求項１１】
前記ＣＳＩ-ＲＳ構成情報は、１つの近隣セルの異なるユーザのすべてのＣＳＩ-ＲＳ構成のセット、または複数の近隣セルのすべてのＣＳＩ-ＲＳ構成のセットを備える、請求項１０に記載の方法。
【請求項１２】
前記ＣＳＩ-ＲＳ構成情報は、近隣セルのＣＳＩ-ＲＳ構成を備える、請求項１０に記載の方法。
【請求項１３】
サービング・セルは、近隣セルのＣＳＩ-ＲＳに関わるリソース要素の制限されたセットを受信する、請求項１０に記載の方法。
【請求項１４】
ＣＳＩ-ＲＳ仮想セルＩＤは、仮想セルＩＤの制限されたセットまたは物理セルＩＤ(ＰＣＩ)に制限される、請求項１０に記載の方法。
【請求項１５】
前記ＣＳＩ-ＲＳ構成情報は、近隣セルのＣＳＩ-ＲＳサブフレームを備える、請求項１０に記載の方法。
【請求項１６】
ゼロ・パワーおよびノン・ゼロ・パワーＣＳＩ-ＲＳは、近隣セルのゼロ・パワーおよびノン・ゼロ・パワーＣＳＩ-ＲＳの同じロケーションに制限される、請求項１０に記載の方法。
【請求項１７】
近隣セルのページング情報を受信することをさらに備える、請求項１０に記載の方法。
【請求項１８】
前記受信は、前記ＵＥの受信機タイプに少なくとも部分的に基づく、請求項１０に記載の方法。
【請求項１９】
メモリユニットと、
前記メモリユニットに結合された少なくとも１つのプロセッサと
を備え、前記少なくとも１つのプロセッサは、
仮想セルＩＤに関連したチャネル上で送信される干渉するチャネル状態情報基準信号（ＣＳＩ-ＲＳ）によって引き起こされる干渉を緩和するために、ＣＳＩ-ＲＳ構成情報を受信することと、
前記ＣＳＩ-ＲＳ構成情報に基づいて干渉除去を実施することと、を行うように構成される、ユーザ機器（ＵＥ）。
【請求項２０】
前記ＣＳＩ-ＲＳ構成情報は、１つの近隣セルの異なるユーザのすべてのＣＳＩ-ＲＳ構成のセット、または複数の近隣セルのすべてのＣＳＩ-ＲＳ構成のセットを備える、請求項１９に記載のＵＥ。
【請求項２１】
前記ＣＳＩ-ＲＳ構成情報は、近隣セルのＣＳＩ-ＲＳ構成を備える、請求項１９に記載のＵＥ。
【請求項２２】
サービング・セルは、近隣セルのＣＳＩ-ＲＳに関わるリソース要素の制限されたセットを受信する、請求項１９に記載のＵＥ。
【請求項２３】
ＣＳＩ-ＲＳ仮想セルＩＤは、仮想セルＩＤの制限されたセットまたは物理セルＩＤ(ＰＣＩ)に制限される、請求項１９に記載のＵＥ。
【請求項２４】
前記ＣＳＩ-ＲＳ構成情報は、近隣セルのＣＳＩ-ＲＳサブフレームを備える、請求項１９に記載のＵＥ。
【請求項２５】
ゼロ・パワーおよびノン・ゼロ・パワーＣＳＩ-ＲＳは、近隣セルのゼロ・パワーおよびノン・ゼロ・パワーＣＳＩ-ＲＳの同じロケーションに制限される、請求項１９に記載のＵＥ。
【請求項２６】
前記少なくとも１つのプロセッサは、近隣セルのページング情報を受信するようにさらに構成される、請求項１９に記載のＵＥ。
【請求項２７】
前記受信は、前記ＵＥの受信機タイプに少なくとも部分的に基づく、請求項１９に記載のＵＥ。
【手続補正２】
【補正対象書類名】明細書
【補正対象項目名】００８４
【補正方法】変更
【補正の内容】
【００８４】
［0092］  本開示の前述の説明は、当業者の誰もが本開示を使用および生成することを可能にするために、提供されている。本開示に対するさまざまな変更は、当業者には容易に理解されるものであり、ここに定義される一般的な原則は、本開示の範囲または精神を逸脱することなく、他の変形にも適用され得る。かくして、本開示は、ここに説明されている設計および例に制限されることは意図されておらず、しかし、ここに開示される新規の特徴および原理に一致する最も広い範囲が与えられるべきである。
以下に、本願出願の当初の特許請求の範囲に記載された発明を付記する。
［Ｃ１］
ワイヤレス通信の方法であって、
干渉するチャネル状態情報基準信号（ＣＳＩ-ＲＳ）によって引き起こされる干渉を緩和するために、ユーザ機器（ＵＥ）にＣＳＩ-ＲＳ構成情報を送信すること
を備える、方法。
［Ｃ２］
前記ＣＳＩ-ＲＳ構成情報は、１つの近隣セルの異なるユーザのＣＳＩ-ＲＳ構成の上位集合、または複数の近隣セルのＣＳＩ-ＲＳ構成の上位集合を備える、Ｃ１に記載の方法。
［Ｃ３］
前記ＣＳＩ-ＲＳ構成情報は、近隣セルのＣＳＩ-ＲＳ構成を備える、Ｃ１に記載の方法。
［Ｃ４］
近隣セルのＣＳＩ-ＲＳに関わるリソース要素の制限されたセットを、前記近隣セルから、受信することをさらに備える、Ｃ１に記載の方法。
［Ｃ５］
仮想セルＩＤの制限されたセットまたは物理セルＩＤ（ＰＣＩ）にＣＳＩ-ＲＳ仮想セルＩＤを制限することをさらに備える、Ｃ１に記載の方法。
［Ｃ６］
前記ＣＳＩ-ＲＳ構成情報は、近隣セルのＣＳＩ-ＲＳサブフレームを備える、Ｃ１に記載の方法。
［Ｃ７］
近隣セルのゼロ・パワーおよびノン・ゼロ・パワーＣＳＩ-ＲＳの同じロケーションにゼロ・パワーおよびノン・ゼロ・パワーＣＳＩ-ＲＳを制限することをさらに備える、Ｃ１に記載の方法。
［Ｃ８］
近隣セルのページング情報を送信することをさらに備える、Ｃ１に記載の方法。
［Ｃ９］
前記送信は前記ＵＥの受信機タイプに少なくとも部分的に基づく、Ｃ１に記載の方法。
［Ｃ１０］
ワイヤレス通信の方法であって、
干渉するデータ・チャネルに関連した復調基準信号（ＤＭ-ＲＳ）の仮想セルＩＤを検出することと、
一組のチャネル状態情報基準信号（ＣＳＩ-ＲＳ）のうちのいずれが、前記検出された仮想セルＩＤに少なくとも部分的に基づいて存在するかを決定することと、
前記決定に少なくとも部分的に基づいて、前記干渉するデータ・チャネルの干渉除去を実施することと
を備える、方法。
［Ｃ１１］
前記一組のＣＳＩ-ＲＳは、一組のノン・ゼロ・パワーＣＳＩ-ＲＳまたは一組のゼロ・パワーＣＳＩ-ＲＳを備える、Ｃ１０に記載の方法。
［Ｃ１２］
前記一組のＣＳＩ-ＲＳのインジケーションを動的に受信することをさらに備える、Ｃ１０に記載の方法。
［Ｃ１３］
ワイヤレス通信の方法であって、
干渉するチャネル状態情報基準信号（ＣＳＩ-ＲＳ）によって引き起こされる干渉を緩和するために、ＣＳＩ-ＲＳ構成情報を、ユーザ機器（ＵＥ）において、受信すること
を備える、方法。
［Ｃ１４］
前記ＣＳＩ-ＲＳ構成情報は、１つの近隣セルの異なるユーザのＣＳＩ-ＲＳ構成の上位集合、または複数の近隣セルのＣＳＩ-ＲＳ構成の上位集合を備える、Ｃ１３に記載の方法。
［Ｃ１５］
前記ＣＳＩ-ＲＳ構成情報は、近隣セルのＣＳＩ-ＲＳ構成を備える、Ｃ１３に記載の方法。
［Ｃ１６］
サービング・セルは、近隣セルのＣＳＩ-ＲＳに関わるリソース要素の制限されたセットを受信する、Ｃ１３に記載の方法。
［Ｃ１７］
ＣＳＩ-ＲＳ仮想セルＩＤは、仮想セルＩＤの制限されたセットまたは物理セルＩＤ(ＰＣＩ)に制限される、Ｃ１３に記載の方法。
［Ｃ１８］
前記ＣＳＩ-ＲＳ構成情報は、近隣セルのＣＳＩ-ＲＳサブフレームを備える、Ｃ１３に記載の方法。
［Ｃ１９］
ゼロ・パワーおよびノン・ゼロ・パワーＣＳＩ-ＲＳは、近隣セルのゼロ・パワーおよびノン・ゼロ・パワーＣＳＩ-ＲＳの同じロケーションに制限される、Ｃ１３に記載の方法。
［Ｃ２０］
近隣セルのページング情報を受信することをさらに備える、Ｃ１３に記載の方法。
［Ｃ２１］
前記受信は、前記ＵＥの受信機タイプに少なくとも部分的に基づく、Ｃ１３に記載の方法。
［Ｃ２２］
干渉するチャネル状態情報基準信号（ＣＳＩ-ＲＳ）によって引き起こされる干渉を緩和するために、ＣＳＩ-ＲＳ構成情報を受信するための手段と、
前記受信されたＣＳＩ-ＲＳ構成情報に少なくとも部分的に基づいて前記干渉を緩和するための手段と、を備える装置。
［Ｃ２３］
前記ＣＳＩ-ＲＳ構成情報は、１つの近隣セルの異なるユーザのＣＳＩ-ＲＳ構成の上位集合、または複数の近隣セルのＣＳＩ-ＲＳ構成の上位集合を備える、Ｃ２２に記載の装置。
［Ｃ２４］
前記ＣＳＩ-ＲＳ構成情報は、近隣セルのＣＳＩ-ＲＳ構成を備える、Ｃ２２に記載の装置。
［Ｃ２５］
サービング・セルは、近隣セルのＣＳＩ-ＲＳに関わるリソース要素の制限されたセットを受信する、Ｃ２２に記載の装置。
［Ｃ２６］
ＣＳＩ-ＲＳ仮想セルＩＤは、仮想セルＩＤの制限されたセットまたは物理セルＩＤ(ＰＣＩ)に制限される、Ｃ２２に記載の装置。
［Ｃ２７］
前記ＣＳＩ-ＲＳ構成情報は、近隣セルのＣＳＩ-ＲＳサブフレームを備える、Ｃ２２に記載の装置。
［Ｃ２８］
ゼロ・パワーおよびノン・ゼロ・パワーＣＳＩ-ＲＳは、近隣セルのゼロ・パワーおよびノン・ゼロ・パワーＣＳＩ-ＲＳの同じロケーションに制限される、Ｃ２２に記載の装置。
［Ｃ２９］
少なくとも１つのプロセッサは、近隣セルのページング情報を受信するようにさらに構成される、Ｃ２２に記載の装置。
［Ｃ３０］
前記受信は、前記ＵＥの受信機タイプに少なくとも部分的に基づく、Ｃ２２に記載の装置。